(57)【要約】【課題】  本発明は、フェンスから躯体に伝達する負担を軽減し、しかも、外観意匠性の向上も見込める手摺装置を提供することにある。【解決手段】  躯体１からの落下を防ぐフェンス２と、フェンス２を躯体１に固定する上側固定部材７と下側固定部材８とを備えており、フェンス２は、笠木６と、縦材５ａと、縦材５ａの上下方向中間部あるいは下部に笠木６と平行して架設する横架材５ｂ，７ｄとを有するとともに、躯体端先１ａの屋外側端面２０に配設してあり、上側固定部材７は、フェンス２の上下方向中間部から躯体１側に向けてほぼ水平に突出して躯体端先１ａの上側面２１に配置するとともに、躯体端先１ａの上側面２１に埋め込むアンカーボルト１０で上下に固定してあり、下側固定部材８は、フェンス２の下端部から躯体１側に向けてほぼ水平に突出して躯体端先１ａの下側面２２に配置するとともに、躯体１の下側面に埋め込むアンカーボルト１１で上下に固定してあることを特徴とする。【選択図】      図１
2011127335.tif 000002
【特許請求の範囲】
【請求項１】
躯体からの落下を防ぐフェンスと、フェンスを躯体に固定する上側固定部材と下側固定部材とを備えており、フェンスは、笠木と、縦材と、縦材の上下方向中間部あるいは下部に笠木と平行して架設する横架材とを有するとともに、躯体端先の屋外側端面に配設してあり、上側固定部材は、フェンスの上下方向中間部から躯体側に向けてほぼ水平に突出して躯体端先の上側面に配置するとともに、躯体の上側面に埋め込むアンカーボルトで上下に固定してあり、下側固定部材は、フェンスの下端部から躯体側に向けてほぼ水平に突出して躯体端先の下側面に配置するとともに、躯体の下側面に埋め込むアンカーボルトで上下に固定してあることを特徴とする手摺装置。
【請求項２】
上側固定部材と下側固定部材は、フェンスの横架材と一体で形成してあることを特徴とする請求項１記載の手摺装置。
【発明の詳細な説明】
【技術分野】
【０００１】
本発明は、バルコニーや廊下に使用される手摺装置に関するものである。
【背景技術】
【０００２】
建築物のバルコニーに設けられる手摺装置は、コンクリート躯体の端先上面に間隔をあけてボルト孔をあけ、そこにアンカーボルトを埋め込んで支柱を起立固定している。さらに、支柱間には格子やガラスから構成されるフェンスを固定するものであった。
【先行技術文献】
【特許文献】
【０００３】
特開２００６−１５２７０５号公報
【発明の概要】
【発明が解決しようとする課題】
【０００４】
しかしながら、上記の手摺装置では、躯体の端先にフェンスの部材自重のすべてが集中することから、施工後、フェンスに風圧や生活荷重を受けたときには、躯体端先の上側面における支柱を固定するアンカーボルト埋設部に負荷が集中する。これに抗するには、アンカーボルトを太くして埋設部を強固にする必要性が生じることから、必然的に躯体の大型化が余儀なくされる。さらに、集合住宅や商業ビルディングなどの高層建築物では、高層部に行くに従い風圧力が大きくなることから、上記のような躯体端先に対する負荷の集中が一層顕著になり、フェンスを構成する格子や笠木材に口径の太い型材を選定しなければならず、施工コストの増大に加えて外観意匠性を損なう問題点があった。
【０００５】
本発明は、上記課題を鑑みてなされたものであり、フェンスから躯体に伝達する負担を軽減し、しかも、外観意匠性の向上も見込める手摺装置を提供することにある。
【課題を解決するための手段】
【０００６】
本発明のうち請求項１記載の発明は、躯体からの落下を防ぐフェンスと、フェンスを躯体に固定する上側固定部材と下側固定部材とを備えており、フェンスは、笠木と、縦材と、縦材の上下方向中間部あるいは下部に笠木と平行して架設する横架材とを有するとともに、躯体端先の屋外側端面に配設してあり、上側固定部材は、フェンスの上下方向中間部から躯体側に向けてほぼ水平に突出して躯体端先の上側面に配置するとともに、躯体の上側面に埋め込むアンカーボルトで上下に固定してあり、下側固定部材は、フェンスの下端部から躯体側に向けてほぼ水平に突出して躯体端先の下側面に配置するとともに、躯体の下側面に埋め込むアンカーボルトで上下に固定してあることを特徴とする。
【０００７】
本発明のうち請求項２記載の発明では、上側固定部材と下側固定部材は、フェンスの横架材と一体で形成してあることを特徴とする。
【発明の効果】
【０００８】
本発明のうち請求項１記載の発明によれば、フェンスが躯体を上側固定部材と下側固定部材で挟む位置関係で固定してあることで、フェンスに風圧や生活荷重を受けたときに、上側固定部材と下側固定部材とで躯体の負荷を分担する。これにより、躯体を小さく構成してフェンスの縦材や横材の口径を細くできるので、製造コストの削減と建物の外観意匠性が向上する。また、フェンスを取り付けるときには、格子やパネルなどがユニット化されたものを躯体端先の上側面に上側固定部材を載せた後、下側固定部材および各部を固定する手順をとるものであるから、施工が容易となる。
【０００９】
本発明のうち請求項２記載の発明によれば、上側固定部材と下側固定部材をフェンスの横架材と一体で形成すれば、フェンスに上側固定部材と下側固定部材を後付けする手間が省かれて施工が簡略化するので、作業効率が向上する。
【図面の簡単な説明】
【００１０】
【図１】本実施による手摺装置においてフェンスと躯体の固定状態を拡大して示す縦断面図である。
【図２】本実施による手摺装置の施工手順を示す内観視した分解斜視図である。
【図３】本実施による手摺装置の斜視図であり、（ａ）は、外観斜視図、（ｂ）は、内観斜視図である。
【図４】（ａ）は、本実施による手摺装置のフェンスに風圧を受けたときの作動状態であり、（ｂ）は、躯体屋内側からフェンスに水平荷重を受けたときの作動状態を示すものである。
【図５】本発明の他の実施形態（金属パネル）を示す斜視図であり、（ａ）は、外観斜視図、（ｂ）は、内観斜視図である。
【図６】本発明の他の実施形態（ガラスパネル）を示す斜視図であり、（ａ）は、外観斜視図、（ｂ）は、内観斜視図である。
【図７】本発明の他の実施形態（上側固定部材および下側固定部材）を示す内観斜視図である。
【発明を実施するための形態】
【００１１】
以下に、各図面に基づいて本実施による手摺装置を説明する。
本実施による手摺装置は、図３（ａ）（ｂ）のように、躯体１と、躯体１の端先１ａに固定するフェンス２とから構成するものである。本実施による躯体１は、バルコニーの足場を形成するコンクリートブロックを敷き詰めて構成されるもので、そのコンクリートブロック内部には、図示は省略するが補強筋が埋設してある。また、躯体１の端先１ａは、躯体１の他部から立ち上がっており、その立ち上がりによって止水と落下物防止の効果を呈するものである。
【００１２】
フェンス２は、本実施のものでは、躯体１見付けに沿って左右に間隔をあけて平行に配置する複数の縦材５ａと、各縦材５ａの上部に沿わせて固定する笠木６と、同じく、すべての縦材５ａの下部に沿わせる横架材５ｂとからなっている。笠木６と縦材５ａと横架材５ｂは、それぞれが押出形材を所定寸で切断したものを用いており、これらを組み付けることでフェンス２が形成される。また、フェンス２は、躯体１の見付け寸法に合わせて対応数を配置して固定される。尚、符号６ａは、笠木カバーであり、笠木６を縦材５ａの上端部に固定するネジ１３を隠蔽している（図２（ａ）参照）。
【００１３】
次に、図１と図２（ａ）（ｂ）に基づいて躯体端先１ａの屋外側端面２０にフェンス２を固定する上側固定部材７と下側固定部材８について説明する。
上側固定部材７は、フェンス２の縦材５ａとの固定部位となる起立片７ａと、躯体１との固定部位となる横架材７ｂとから断面略Ｌ字状をなしている。また、フェンス２を構成するすべての縦材５ａの上下方向中間部に跨って架設する状態に、長手方向に沿うレール溝付きの横架材７ｄがネジ１４で固定してあり、この横架材７ｄに上側固定部材７の起立片７ａをあてがうとともに、互いが当接した箇所をボルト１６ａとナット１６ｂで締結することで、レール溝付きの横架材７ｄが笠木６および横架材５ｂとほぼ平行に配置される。また、横架材７ｄのレール溝にボルト１６ａのヘッドをスライドして係止させることで、ボルト１６ａの先端を上側固定部材７のボルト孔（図示省略）に挿通してナット１６ｂで締結すれば、上側固定部材７がフェンス２に固定される。そして、すべての縦材５ａに固定してある上側固定部材７の水平片７ｂは、躯体端先１ａ上側面２１と上下に対面する位置まで突出するものであり、本実施のものでは、その水平片７ｂに、クッション部材９を挟んで躯体１の上側面２１に埋め込まれたアンカーボルト１０が挿通し、さらに、ナット１２ａで締結して固定してある。また、上側固定部材７をフェンス２に固定する横架材７ｄは、縦材５ａの上下方向中間部に連続して配置されることから、縦材５ａから発生する風切音を軽減させる効果も期待できる。一方の下側固定部材８は、押出形材によってほぼ水平な板状に形成されており、施工時に躯体屋外側に位置する側の端部には、上向きに開口する凹状の溝部８ａが設けてあり、この溝部８ａにフェンス２の縦材５ａの下端部を落とし込んで保持し、さらに、下側固定部材７の下方からネジ１５で固定できる構造となっている。また、下側固定部材８の躯体屋内側の端部は、躯体端先１ａの下側面２２と上下に対面する位置まで突出しており、上述した上側固定部材７と同様に、クッション部材９を挟んで躯体１の下側面２２に埋め込まれたアンカーボルト１１にボルト孔（図示省略）を挿通し、さらに、突出したアンカーボルト１１の先端をナット１２ｂで締結して固定してある。これにより、上側固定部材７と下側支持部材８は、躯体１ａを挟んで上下に対向する位置に配設される。尚、符号７ｃは、固定部材カバーであり、上側固定部材７に被せて取り付けることで、アンカーボルト１１とナット１２ａの締結箇所を隠蔽している。また、本実施のものでは、図２（ｂ）のように、フェンス２間に跨って上側固定部材７を固定することもでき、この場合、上側固定部材７の起立片７ａの上端部には、横方向に間隔をあけた２箇所に半円状をなす受溝２３が設けてあり、各受溝２３に、隣りあうフェンス２の横架材７ｄから突出したボルト１６ａの先端を差し入れてナット１６ｂで各々を締結している。これにより、隣りあうフェンス２同士の連結力が確保される。さらに、笠木６についても、隣りあうフェンス２間に跨ってバー２４が架設してあり、上記の上側固定部材７と同様に隣りあうフェンス２同士の連結力の確保がなされる。
【００１４】
以上のように形成した手摺装置は、図４（ａ）のように、フェンス２に風圧を受けたときに、上側固定部材７は、フェンス２に固定する横架材７ｄから躯体１の端先１ａ上側面２１に沿って埋め込まれた複数のアンカーボルト１０に伝達し、アンカーボルト１０に引き抜き力とせん断力が作用する。これと同時に下側固定部材８においても、躯体１の端先１ａ下端面に埋め込まれた複数のアンカーボルト１１に伝達し、同様に、躯体１にアンカーボルト１１の引き抜き力とせん断力が作用する。これにより、フェンス２に受けた風圧は、上側固定部材７と下側固定部材８を固定する上下のアンカーボルト１０，１１で躯体１が受けることになるから、躯体端先１ａの上下に埋め込まれた各アンカーボルト１０，１１に対する躯体１の引っ張り応力とせん断応力も小さくなって躯体１の負荷が軽減される。一方で図４（ｂ）のように、フェンス２に躯体１屋内側から笠木６に水平荷重を受けたときには、上側固定部材７は、躯体端先１ａの上側面２１に埋め込まれた複数のアンカーボルト１０を躯体屋外側に向けて同時に引っ張るとともに、上側固定部材７が水平荷重を受けて傾くフェンス２の支点となる。そして、下側固定部材８では、躯体端先１ａの下側面２２に埋め込まれたアンカーボルト１１を躯体屋内側に押圧することで、上述した風圧を受けたときと同様に、フェンス２に対して躯体屋内側から受ける荷重を上下のアンカーボルト１０，１１が分担する。これにより、フェンス２に風圧や生活荷重を受けたときに、上側固定部材７と下側固定部材８が相互して荷重を分担し、躯体１の一点に応力が集中することを防ぐので、フェンス２を構成する縦材５ａ、横架材５ｂ、笠木６の口径が細いものであっても充分な耐久性が確保されて製造コストが抑制でき、さらに、形材の口径の自由度が高くなってフェンス２の外観意匠性の向上が見込まれるようになる。尚、上記では躯体屋外側または躯体屋内側からフェンス２に水平荷重を受けたときの手摺装置の作動状態を考察したものであり、その他、フェンス２の部材重量による垂直荷重や、アンカーボルト１０，１１に作用する曲げモーメントなどについては、ここでは考慮していないが、水平荷重を上下に分担することにより躯体１の応力の集中が防がれることが推測できる。
【００１５】
本発明の手摺装置は、上記実施形態の他、図５（ａ）（ｂ）のように、フェンスは、躯体１の見付け方向に間隔をあけて複数配置した縦材５ａの躯体屋外側部に金属パネル１７を取り付けたものでもよい。上側固定部材７と下側固定部材８ついては、上記実施形態と同様の構成であることから、ここでの説明を省略する。さらに、図６（ａ）（ｂ）のように、フェンス２０２は、笠木６と縦材５ａと横架材５ｂとで囲まれた枠内に、ガラスパネル１８を嵌め込むものでもよい。この実施形態においても上側固定部材７と下側固定部材８は、上記した各実施形態と同様の構成のものを適用している。また、上側固定部材７と下側固定部材８についても、上記の各実施形態では、フェンス２，２０２に固定する横架材７ｂと独立したものを挙げたが、図７のように、縦材５ａと上側固定部材７または下側固定部材８とを断面ほぼＬ字状の押出一体成形（７７，７７ａ，７７ｂ，８８）し、さらに、躯体端先１ａの見付け方向に沿って長く連続するようにしてもよい。
【符号の説明】
【００１６】
１  躯体
１ａ  躯体端先
２，２０２  フェンス
５ａ  縦材
５ｂ，７ｄ  横架材
６  笠木
７  上側固定部材
８  下側固定部材
１０，１１  アンカーボルト
２０  躯体端先の屋外側端面
２１  躯体端先の上側面
２２  躯体端先の下側面
【図１】
2011127335.tif 000003
【図２】
2011127335.tif 000004
【図３】
2011127335.tif 000005
【図４】
2011127335.tif 000006
【図５】
2011127335.tif 000007
【図６】
2011127335.tif 000008
【図７】
2011127335.tif 000009